(57)【要約】【課題】リサイクルをシステム化し、不正な再利用を防止できるデジタルカメラを提供する。【解決手段】撮影プログラム等が記録されたプログラム用メモリ３２と、撮影した画像データを記録する記録用メモリ３８と、作業用メモリ３４とを備え、プログラム用メモリ３２に記録された撮影プログラムは、デジタルカメラの電源投入後、作業用メモリ３４に展開され、作業用メモリ３４上で実行される。撮影した画像データは、記録用メモリ３８に順次記録され、記録用メモリ３８の容量が無くなると、プログラム用メモリ３２に記録された撮影プログラムに上書きして記録される。【選択図】　　図１
2004147139.tif 000002
【特許請求の範囲】
【請求項１】
プログラム用メモリに記録された撮影プログラムを作業用メモリにロードし、該作業用メモリにロードされた撮影プログラムに従って制御部がカメラの撮影制御及び撮影した画像データの記録制御を実行するデジタルカメラにおいて、
前記制御部は、撮影した画像データを前記プログラム用メモリに記録されている撮影プログラムに上書きして記録することを特徴とするデジタルカメラ。
【請求項２】
撮影した画像データを記録する記録用メモリを備え、前記制御部は、前記記録用メモリに撮影した画像データを記録するとともに、該記録用メモリの容量が一杯になると、前記プログラム用メモリに撮影した画像データを記録することを特徴とするデジタルカメラ。
【請求項３】
被写体の光学像をデジタルの画像データに変換して記録するデジタルカメラにおいて、
特定のビットパターンのデータが書き込まれた記録用メモリと、
前記記録用メモリに書き込まれたビットパターンが記憶された記憶手段と、
前記記録用メモリに書き込まれたビットパターンと前記記憶手段に記憶されたビットパターンとが一致するか否か検証する検証手段と、
前記検証手段による検証の結果、前記記録用メモリに書き込まれたビットパターンと前記記憶手段に記憶されたビットパターンとが一致した場合に、前記記録用メモリに書き込まれたビットパターンのデータを消去し、その消去した領域に撮影した画像データを記録する記録手段と、
を備えたことを特徴とするデジタルカメラ。
【請求項４】
前記ビットパターンを複数用意し、カメラごとに異なるビットパターンを用いることを特徴とする請求項３に記載のデジタルカメラ。
【請求項５】
ランダムに発生させたビットパターンを前記記録用メモリに書き込むとともに、前記記憶手段に記憶させることを特徴とする請求項３に記載のデジタルカメラ。
【発明の詳細な説明】
【０００１】
【発明の属する技術分野】
本発明はデジタルカメラに係り、特にリサイクルして使用されるデジタルカメラに関する。
【０００２】
【従来の技術】
銀塩カメラの分野では、従来よりリサイクル使用されるカメラとしてレンズ付きフィルムが普及している。このようなレンズ付きフィルムは、行楽地などでカメラを携帯し忘れたときでも、その場で手軽に入手できるという利点がある。
【０００３】
一方、デジタルカメラも近年急速に高画素化が進んでおり、画質も銀塩カメラと遜色ないレベルに達していることから、銀塩カメラと同様に手軽に利用できるリサイクル可能なカメラの登場が望まれている。
【０００４】
ところで、このようにリサイクル使用されるカメラは、安価に提供できることが前提となり、このためには、リサイクルをシステム化し、不正な再利用を防止する必要がある。このような観点から特許文献１では、リサイクル使用されるデジタルカメラとして、撮影した画像データを暗号化して記録メディアに記録し、カメラ自体には、その暗号化された画像データを復号化する機能を持たせないことにより、不正利用を防止することが提案されている。
【０００５】
【特許文献１】
特開２０００−１９６９３１号公報
【０００６】
【発明が解決しようとする課題】
しかしながら、特許文献１のデジタルカメラの場合、暗号が解読されてしまうと、悪質な利用者によって容易に再利用が図れてしまうという欠点がある。
【０００７】
本発明はこのような事情に鑑みてなされたもので、リサイクルをシステム化し、不正な再利用を防止できるデジタルカメラを提供することを目的とする。
【０００８】
【課題を解決するための手段】
請求項１に係る発明は、前記目的を達成するために、プログラム用メモリに記録された撮影プログラムを作業用メモリにロードし、該作業用メモリにロードされた撮影プログラムに従って制御部がカメラの撮影制御及び撮影した画像データの記録制御を実行するデジタルカメラにおいて、前記制御部は、撮影した画像データを前記プログラム用メモリに記録されている撮影プログラムに上書きして記録することを特徴とするデジタルカメラを提供する。
【０００９】
本発明によれば、撮影した画像データが、プログラム用メモリに記録されている撮影プログラムに上書きして記録される。これにより、一度使用すると、プログラム用メモリには撮影プログラムが存在しなくなるので、撮影プログラムを持たない第三者は再利用ができなくなり、不正な再利用を効果的に防止することができる。
【００１０】
また、請求項２に係る発明は、前記目的を達成するために、撮影した画像データを記録する記録用メモリを備え、前記制御部は、前記記録用メモリに撮影した画像データを記録するとともに、該記録用メモリの容量が一杯になると、前記プログラム用メモリに撮影した画像データを記録することを特徴とするデジタルカメラを提供する。
【００１１】
本発明によれば、記録用メモリを持つことにより、撮影可能枚数を増やすことができる。
【００１２】
また、請求項３に係る発明は、前記目的を達成するために、被写体の光学像をデジタルの画像データに変換して記録するデジタルカメラにおいて、特定のビットパターンのデータが書き込まれた記録用メモリと、前記記録用メモリに書き込まれたビットパターンが記憶された記憶手段と、前記記録用メモリに書き込まれたビットパターンと前記記憶手段に記憶されたビットパターンとが一致するか否か検証する検証手段と、前記検証手段による検証の結果、前記記録用メモリに書き込まれたビットパターンと前記記憶手段に記憶されたビットパターンとが一致した場合に、前記記録用メモリに書き込まれたビットパターンのデータを消去し、その消去した領域に撮影した画像データを記録する記録手段と、を備えたことを特徴とするデジタルカメラを提供する。
【００１３】
本発明によれば、記録用メモリに書き込まれたビットパターンと記憶手段に記憶されたビットパターンとが一致した場合に限り、撮影した画像データの記録が可能になる。したがって、記憶手段に記憶されたビットパターンを知らずに記録用メモリをフォーマットしても、以後記録不能になるので、不正な第三者の再利用を効果的に防止することができる。
【００１４】
また、請求項４に係る発明は、前記目的を達成するために、前記ビットパターンを複数用意し、カメラごとに異なるビットパターンを用いることを特徴とする請求項３に記載のデジタルカメラを提供する。
【００１５】
本発明によれば、複数のビットパターンを用意し、カメラごとに異なるビットパターンを用いることにより、更に効果的に不正な再利用を防止できる。
【００１６】
また、請求項５に係る発明は、前記目的を達成するために、ランダムに発生させたビットパターンを前記記録用メモリに書き込むとともに、前記記憶手段に記憶させることを特徴とする請求項３に記載のデジタルカメラを提供する。
【００１７】
本願発明によれば、ランダムに発生させたビットパターンを用いることにより、更に効果的に不正な再利用を防止することができる。
【００１８】
【発明の実施の形態】
以下、添付図面に従って本発明に係るデジタルカメラの好ましい実施の形態について詳説する。
【００１９】
図１は、本発明に係るデジタルカメラの一実施形態の構成を示すブロック図である。同図に示すように、このデジタルカメラ１０は、主として撮影光学系１２、撮像素子（ＣＣＤ）１４、アナログ信号処理回路１６、Ａ／Ｄ変換器１８、画像入力コントローラ２０、画像信号処理回路２２、圧縮処理回路２４、中央演算処理回路（ＣＰＵ）２６、操作部２８、通信部３０、プログラム用メモリ３２、作業用メモリ３４、メモリコントローラ３６、記録用メモリ３８で構成されており、ＣＰＵ２６により全体の動作が統括制御される。
【００２０】
撮影光学系１２は、撮影レンズ１２Ａと絞り１２Ｂとで構成されている。撮影レンズ１２Ａは、たとえばパンフォーカスの単焦点レンズで構成されており、この撮影レンズ１２Ａに入射した被写体光が、絞り１２Ｂを介して撮像素子１４の受光面に入射される。
【００２１】
撮像素子１４には、ＣＣＤ、ＣＭＯＳ等の公知の撮像素子が用いられ、この撮像素子１４によって被写体の光学像が電気信号に変換される。なお、本実施の形態では、撮像素子１４にＣＣＤが用いられている。ＣＣＤ１４は、受光面に多数のフォトセンサが２次元的に配列されており、受光面に入射した被写体光は各フォトセンサによって入射光量に応じた量の信号電荷に変換される。各フォトセンサに蓄積された信号電荷は、タイミングジェネレータ（ＴＧ）４０から与えられるタイミングパルスに従って読み出され、信号電荷に応じた電圧信号としてアナログ信号処理回路１６に出力される。なお、このＣＣＤ１４には電荷掃き出しドレインが備えられており、この電荷掃き出しドレインに各フォトセンサに蓄積された信号電荷を掃き出すことにより、各フォトセンサに蓄積される信号電荷の蓄積時間（シャッタースピード）が制御される。
【００２２】
アナログ信号処理回路１６は、相関二重サンプリング処理回路（ＣＤＳ）及び増幅器（ＡＭＰ）を含み、ＣＣＤ１４から出力された信号は、ここで相関二重サンプリング処理、並びにＲＧＢ各色の信号に色分離処理され、ＲＧＢ各色の信号レベルの調整（プリホワイトバランス処理）が行われる。アナログ信号処理部１６から出力されたアナログの画像信号は、Ａ／Ｄ変換器１８でデジタルの画像信号に変換された後、画像入力コントローラ２０を介して作業用メモリ３４に格納される。そして、この作業用メモリ３４から画像信号処理回路２２へと出力される。
【００２３】
画像信号処理回路２２は、輝度・色差信号変換回路やガンマ補正回路等を含み、画像信号処理回路２２に入力された画像信号は、ここで輝度信号（Ｙ信号）及び色差信号（Ｃｒ，Ｃｂ　信号）に変換されるとともに、ガンマ補正等の所定の処理が施される。そして、この信号処理後の画像信号は、作業用メモリ３４に一時格納された後、圧縮処理回路２４に出力される。
【００２４】
圧縮処理回路２４は、信号処理後の画像データをＪＰＥＧやＥｘｉｆ−ＪＰＥＧ、ＴＩＦＦ、その他所定の形式に従って圧縮処理する。圧縮された画像データは、作業用メモリ３４に一時格納された後、メモリコントローラ３６を介して記録用メモリ３８に記録される。
【００２５】
操作部２８は、電源スイッチ２８Ａ、レリーズスイッチ２８Ｂ等で構成され、ＣＰＵ２６は、この操作部２８からの入力信号に基づき対応する回路の動作を制御する。
【００２６】
通信部３０は、パーソナルコンピュータ（ＰＣ）との間でデータの送受信を行う。この通信部３０は、ＵＳＢインターフェース３０ＡとＵＳＢコントローラ３０Ｂとで構成され、デジタルカメラ１０は、ＵＳＢインターフェース３０Ａを介してパーソナルコンピュータ側のＵＳＢインターフェースとＵＳＢケーブルで接続される。そして、ＵＳＢコントローラ３０Ｂを介してデータの送受信が行なわれる。
【００２７】
プログラム用メモリ３２は、書き換え可能なメモリ、例えばフラッシュＲＯＭで構成されており、ここにデジタルカメラ１０の撮影制御及び記録制御を行なうための撮影プログラムや、デジタルカメラ１０に記録された画像データをパーソナルコンピュータに吸出すための吸出しプログラム、制御に必要な各種の設定データ等が記録されている。
【００２８】
作業用メモリ３４は、ＳＤＲＡＭで構成されており、ここにプログラム用メモリ３２に記録された撮影プログラムが展開される。また、ＣＰＵ２６は、この作業用メモリ３４を利用して各種の演算処理を行う。
【００２９】
記録用メモリ３８は、書き換え可能なメモリ、例えばフラッシュＲＯＭで構成されており、ここに撮影した画像データが記録される。
【００３０】
以上のように構成された本実施の形態のデジタルカメラ１０の作用は次のとおりである。
【００３１】
デジタルカメラ１０は、店舗において販売され、ユーザはこれを購入する。購入後、操作部２８の電源スイッチ２８Ａをオンにし、デジタルカメラ１０の電源を投入すると、ＣＰＵ２６がこれを検出し、プログラム用メモリ３２に記録されている撮影プログラムを作業用メモリ３４上に展開する。以後、ＣＰＵ２６は、この作業用メモリ３４上で撮影プログラムを実行する。
【００３２】
デジタルカメラ１０の電源がオンにされた状態でユーザが操作部２８のレリーズスイッチ２８Ａを押すと、ＣＰＵ２６がこれを検出し、撮影プログラムに従って撮影制御及び記録制御を実行する。
【００３３】
まず、ＣＣＤ１４から出力される画像信号に基づいて被写体の明るさ（撮影Ｅｖ値）を算出し、この撮影Ｅｖ値に基づいてシャッタースピードを決定する。そして、決定したシャッタースピードに基づいてＣＣＤ１４の電荷蓄積時間を制御し、１コマ分の画像データを取得する。
【００３４】
このように撮影された１コマ分の画像データは、ＣＣＤ１４からアナログ信号処理回路１６、Ａ／Ｄ変換器１８、画像入力コントローラ２０を介して作業用メモリ３４に格納される。そして、画像信号処理回路２２にて所定の信号処理が施された後、圧縮処理回路２４にて所定の形式に従った圧縮処理が施され、メモリコントローラ３６を介して記録用メモリ３８に記録される。
【００３５】
以上のようにして１コマ分の画像データが記録用メモリ３８に記録される。以後、同様の操作が行なわれることにより、撮影した画像データが記録用メモリ３８に順次記録されてゆく。
【００３６】
ここで、撮影した画像データは、図２（ａ）に示すように、記録用メモリ３８の空領域に順次記録されていくが、記録用メモリ３８の容量は限られており、その空領域が無くなると、同図（ｂ）に示すように、記録用メモリ３８には、それ以上の記録はできなくなる。
【００３７】
一方、カメラの撮影制御及び記録制御を行なうための撮影プログラムは、作業用メモリ３４に展開され、この作業用メモリ３４上で実行されているため、プログラム用メモリ３２に記録されている撮影プログラムは不要となる。
【００３８】
そこで、本実施の形態のデジタルカメラ１０では、同図（ｃ）に示すように、記録用メモリ３８の空領域が無くなると、プログラム用メモリ３２の撮影プログラムが記録された領域に撮影した画像データを順次上書きして記録してゆく。そして、この撮影プログラムが記録された領域が、すべて撮影した画像データで上書きされたところで撮影終了となる。
【００３９】
撮影終了後、ユーザはカメラごと店舗に持ち込み、プリントサービス、あるいはスマートメディアやコンパクトフラッシュ、ＣＤやＭＤ等の記録メディアへの書き込みサービスを依頼する。
【００４０】
店舗では、デジタルカメラ１０に備えられたＵＳＢインターフェース３０Ａを利用し、デジタルカメラ１０とパーソナルコンピュータとを接続する。そして、デジタルカメラ１０から記録用メモリ３８及びプログラム用メモリ３２に記録されている画像データをパーソナルコンピュータに吸い出す。この後、店舗では、吸い出した画像データを利用して依頼されたサービス、すなわち画像データのプリント、あるいは記録メディアへの書き込みを行ない、依頼したユーザに提供する。
【００４１】
一方、画像データが吸い出された使用済みのデジタルカメラ１０は、メーカに回収される。メーカでは、記録用メモリ３８及びプログラム用メモリ３２に記録されているデータを消去して初期化し、新たに撮影プログラム等をプログラム用メモリ３２に書き込む。そして、バッテリの詰め替えや外観検査等を行い、異常がないことを確認した後、販売店舗へ引き渡し、再度販売に供する。
【００４２】
このように、本実施の形態のデジタルカメラ１０は、リサイクルして使用される。この際、不正な利用者が、デジタルカメラ１０から画像データのみを吸出し、再度利用に供することが考えられるが、使用済みのデジタルカメラ１０には、既に撮影プログラムが無くなっているので、デジタルカメラ１０は動作することができない状態になっている。したがって、不正なルートでの再利用ができなくなり、正当なルートでのリサイクルシステムのみが確立される。
【００４３】
以上説明したように、本実施の形態のデジタルカメラ１０は、記録用メモリ３８の容量が無くなると、プログラム用メモリ３２の撮影プログラムが記録された領域に撮影した画像データが上書きして記録されるので、一度使い終えると、不正にデータを吸い出しても、再度利用することができなくなり、不正な再利用を有効に阻止することができる。
【００４４】
また、プログラム用メモリ３２にも画像データを記録するようにしているので、撮影可能枚数を増やすこともできる。
【００４５】
なお、本実施の形態のデジタルカメラ１０では、記録用メモリ３８の容量が無くなると、プログラム用メモリ３２の撮影プログラムが記録された領域に撮影した画像データを上書きして記録するように構成しているが、はじめにプログラム用メモリ３２の撮影プログラムが記録された領域に撮影した画像データを上書きして記録し、その容量が無くなったところで、記録用メモリ３８に撮影した画像データを記録するようにしてもよい。
【００４６】
また、記録用メモリ３８を持たずにプログラム用メモリ３２の撮影プログラムが記録された領域に直接データを上書きして記録するようにしてもよい。
【００４７】
さらに、記録用メモリ３８とプログラム用メモリ３２の撮影プログラムが記録された領域に交互にデータを記録するようにしてもよい。
【００４８】
また、本実施の形態では、通信手段としてＵＳＢを使用しているが、外部の機器との通信手段は、これに限定されるものではない。また、本実施の形態では、パーソナルコンピュータと接続しているが、接続する機器は、これに限定されるものではない。
【００４９】
次に、本発明に係るデジタルカメラの第２の実施の形態について説明する。
【００５０】
上述した第１の実施の形態のデジタルカメラは、撮影した画像データをプログラム用メモリ３２に記録されている撮影プログラムに上書きして記録することにより、不正な第三者の再利用を防止する。しかし、この場合、記録用メモリ３８の空き容量が無くなる前に不正な利用者が記録用メモリ３８から画像データを吸出し、再利用するおそれがある。
【００５１】
そこで、本実施の形態のデジタルカメラでは、記録用メモリに特定のビットパターンのデータを書き込んでおき、画像データの書き込み時に特定のパターンでベリファイしたのち消去して画像データを書き込むことにより、不正な再利用を防止する。
【００５２】
以下、この第２の実施の形態のデジタルカメラによる画像データの記録制御について詳説する。なお、デジタルカメラ自体の構成は、上述した第１の実施の形態と同じである。
【００５３】
図３に示すように、撮影した画像データが記録される記録用メモリ３８には、特定のビットパターンのデータが書き込まれている。
【００５４】
一方、プログラム用メモリ３２には、この記録用メモリ３８に書き込まれたビットパターンのデータが設定データの領域に記録されている。
【００５５】
撮影した画像データの記録は、次のように行なわれる。画像データの記録時、まず、ＣＰＵ２６は、記録用メモリ３８に書き込まれたビットパターンのデータと、プログラム用メモリ３２に記憶されたビットパターンのデータとを比較し、一致するか否かを検証する（ベリファイ）。
【００５６】
検証した結果、両者が一致していれば、メモリコントローラ３６を介して記録用メモリ３８に書き込まれたビットパターンのデータを消去し（１コマ分の画像データを記録する分だけ消去）、その消去した領域にメモリコントローラ３６を介して撮影した画像データを記録する。
【００５７】
以下、画像データを記録するたびにビットパターンの検証を行いながら、撮影した画像データを記録用メモリ３８に記録する。
【００５８】
このように、本実施の形態のデジタルカメラでは、記録用メモリ３８には書き込まれたビットパターンと、プログラム用メモリ３２に記憶されたビットパターンとが一致するか否かを検証し、一致している場合のみ撮影した画像データの記録が可能になる。したがって、不正な利用者が、再利用することを目的に独自に記録用メモリ３８を初期化したとしても、記録用メモリ３８に特定のビットパターのデータが書き込まれていない限り、撮影した画像データを記録することができず、再利用できなくなる。これにより、不正な再利用を効果的に防止することができる。
【００５９】
なお、本実施の形態では、撮影した画像データを記録用メモリ３８に記録するたびにビットパターンの検証と消去を行なうようにしているが、ビットパターンとの照合は、１枚目の画像データの記録時のみ行うようにしてもよい。この場合、１枚目の画像データの記録時に記録用メモリ３８に書き込まれたビットパターンと、プログラム用メモリ３２に記憶されたビットパターンとを照合し、一致していれば、記録用メモリ３８に書き込まれたビットパターンを全て消去する。
【００６０】
また、記録用メモリ３８に書き込むビットパターンについては任意であり、また、複数のビットパターンを用意しておき、カメラごとに異なるビットパターンのデータを書き込むようにしてもよい。あるいは、ランダムに発生させたビットパターンのデータを書き込むようにしてもよい。これにより、さらに効果的に不正な再利用を防止することができる。
【００６１】
また、本実施の形態のデジタルカメラも上述した第１の実施の形態のデジタルカメラと同様に記録用メモリ３８の空領域がなくなった後、画像データをプログラム用メモリ３２に記録された撮影プログラムに上書きして記録する。これにより、更に有効に不正な再利用を防止することができる。また、撮影可能枚数も増やすことができる。
【００６２】
なお、本実施の形態のデジタルカメラは、特定のビットパターンのデータを書き込まなければ、再利用することができないことから、必ずしも上述した第１の実施の形態のデジタルカメラのように、撮影した画像データをプログラム用メモリ３２の撮影プログラムに上書きして記録する必要はない。したがって、撮影した画像データを記録用メモリ３８にのみ記録するようにしてもよい。
【００６３】
次に、この第２の実施の形態のデジタルカメラを用いたリサイクルシステムについて説明する。
【００６４】
図４は、第２の実施の形態のデジタルカメラを用いたリサイクルシステムの概念図である。
【００６５】
サービスセンタ１は、販売店舗２にデジタルカメラの販売を委託し、ユーザ３は、販売店舗２からデジタルカメラを購入する。
【００６６】
デジタルカメラを購入したユーザ３は、規定枚数の画像を撮影完了後、デジタルカメラを販売店舗２に持ち込み、撮影した画像データのプリント又はＣＤ等の記録メディアへの書き込みのサービスを依頼する。販売店舗２は、そのサービスの依頼を受けたデジタルカメラをサービスセンタ１に引渡し、サービスセンタ１で依頼されたサービスを実施する。すなわち、プリントサービスならば、デジタルカメラから記録されている画像データを吸出し、印画紙にプリントし、書き込みサービスならば、吸い出した画像データをＣＤ等の記録媒体に記録する。そして、できあがったプリント又は記録媒体を販売店舗２に返送し、販売店舗２を介してユーザ３に引き渡す。
【００６７】
一方、使用済みのデジタルカメラについては、サービスセンタ１にて再生処理が行なわれる。このデジタルカメラの再生処理は、図５に示すフローチャートに従って次のように行なわれる。
【００６８】
なお、ここでは記録用メモリ３８に書き込む特定のビットパターンのデータとして、ランダムに発生させたビットパターンのデータを書き込む場合を例に説明する。
【００６９】
まず、デジタルカメラに記録されている画像データの吸出しが完了しているか否かがチェックされる（ステップＳ１）。すなわち、ユーザ３へのサービスの提供のためにデジタルカメラ１０から画像データが、既に吸い出されているか否かがチェックされる。
【００７０】
チェックの結果、画像データの吸出しが完了していない場合は、ＳＴＥＰ１０として、図６（ａ）に示すように、画像データの吸出しが行なわれる。
【００７１】
まず、デジタルカメラをパーソナルコンピュータに接続し、デジタルカメラに画像データが記録されているか否かチェックする（ステップＳ１２）。すなわち、記録用メモリ３８に撮影された画像データが記録されているか否かチェックする。そして、画像データがある場合は、デジタルカメラからパーソナルコンピュータに画像データを吸い出し、依頼されたサービスを実行する。
【００７２】
一方、画像データが記録されていなければ、そのまま再生利用に供され、次のステップに進む。
【００７３】
画像データの吸出しを終えたデジタルカメラについては、図５に示すように、次に、記録用メモリ３８が初期化されているか否かがチェックされる（ステップＳ２）。初期化されていない場合は、ＳＴＥＰ２０として、図６（ｂ）に示すように、記録用メモリ３８の初期化が行なわれる。
【００７４】
まず、記録用メモリ３８に記録されている画像データを消去する（ステップＳ２２）。次いで、記録用メモリ３８に書き込むビットパターンを作成する（ステップＳ２４）。このビットパターンは、ビット列をランダムに発生させて作成し、この作成したランダムのビットパターンのデータを記録用メモリ３８に書き込む（ステップＳ２６）。
【００７５】
記録用メモリ３８の初期化を終えたデジタルカメラについては、図５に示すように、次に、プログラム用メモリ３２に撮影プログラム等の書き込みが完了しているか否かがチェックされる（ステップＳ３）。書き込みが完了していない場合は、ＳＴＥＰ３０として、図６（ｃ）に示すように、撮影プログラム等の書き込みが行なわれる。
【００７６】
まず、プログラム用メモリ３２に記録する撮影プログラムや吸出しプログラム、設定データ等のプログラムをパーソナルコンピュータの転送用バッファにロードする（ステップＳ３２）。次に、記録用メモリ３８に書き込んだビットパターンのデータを設定データとしてプログラムに埋め込む（ステップＳ３４）。次に、デジタルカメラのプログラム用メモリ３２を消去し（ステップＳ３６）、転送用バッファにロードされたプログラムを書き込む（ステップＳ３８）。これにより、デジタルカメラのプログラム用メモリに撮影プログラム、その他のプログラム類が記録される。
【００７７】
プログラムの書き込みを終えたデジタルカメラについては、図５に示すように、次に、バッテリーの詰め替えや外観のチェックが行なわれ（ステップＳ４）、これにより、デジタルカメラの再生処理が完了する。そして、再生処理が完了したデジタルカメラについては、再び販売店舗２に引き渡され、販売店舗２において販売される。
【００７８】
このように、記録用メモリ３８に書き込む特定のビットパターンのデータは、サービスセンタで管理されるため、第三者に知られることはない。したがって、不正な利用者が再利用を目的に使用済みのデジタルカメラの記録用メモリ３８を初期化しても、撮影画像を書き込むことができず、正常に利用することができなくなる。
【００７９】
また、通常、利用者は、記録用メモリ３８に特定のビットパターンのデータが記録されていることを知らないので、記録用メモリ３８に特定のビットパターンのデータを書き込んで再利用を図るということもできず、不正な再利用を有効に防止することができる。
【００８０】
特に、本実施の形態のように、ランダムに発生させたビット列のデータを利用して記録用メモリ３８に特定のビットパターンのデータを書き込むことにより、万が一、記録用メモリ３８に特定のビットパターンのデータを書き込めば、再利用することが分かったとしても、その書き込むべき特定のビットパターンのデータを容易に知ることはできず、不正な再利用を有効に防止することができる。
【００８１】
【発明の効果】
以上説明したように、本発明によれば、撮影した画像データが、プログラム用メモリに記録されている撮影プログラムに上書きして記録されるので、一度使用すると、プログラム用メモリには撮影プログラムが存在しなくなるので、撮影プログラムを持たない第三者は再利用できなくなり、効果的に不正な再利用を防止することができる。
【００８２】
また、本発明によれば、記録用メモリに書き込まれたビットパターンと記憶手段に記憶されたビットパターンとが一致した場合に限り、撮影した画像データの記録を可能にすることにより、不正な第三者の再利用を効果的に防止することができる。
【図面の簡単な説明】
【図１】本発明に係るデジタルカメラの一実施形態の構成を示すブロック図
【図２】第１の実施の形態のデジタルカメラの作用の説明図
【図３】第２の実施の形態のデジタルカメラの作用の説明図
【図４】デジタルカメラのリサイクルシステムの概念図
【図５】デジタルカメラのリサイクルシステムのフローチャート
【図６】デジタルカメラのリサイクルシステムのフローチャート
【符号の説明】
１０…デジタルカメラ、１２…撮影光学系、１２Ａ…撮影レンズ、１２Ｂ…絞り、１４…撮像素子（ＣＣＤ）、１６…アナログ信号処理回路、１８…Ａ／Ｄ変換器、２０…画像入力コントローラ、２２…画像信号処理回路、２４…圧縮処理回路、２６…中央演算処理回路（ＣＰＵ）、２８…操作部、２８Ａ…電源スイッチ、２８Ｂ…レリーズスイッチ、３０…通信部、３２…プログラム用メモリ、３４…作業用メモリ、３６…メモリコントローラ、３８…記録用メモリ、４０…タイミングジェネレータ（ＴＧ）
【図１】
2004147139.tif 000003
【図２】
2004147139.tif 000004
【図３】
2004147139.tif 000005
【図４】
2004147139.tif 000006
【図５】
2004147139.tif 000007
【図６】
2004147139.tif 000008